(57)【要約】【課題】画像の印刷後の印字イメージと全体の画像とがともに確認でき、全体のレイアウトのなかで印字イメージが見たい部分を任意に指定でき、変倍率も任意に指定する機能を合わせもつ画像処理装置を提供する。【解決手段】画像表示部１１に表示された画像２００内に表示された変倍範囲２１０内の画像を、変倍画像４００として変倍画像表示部１２に表示する。変倍率を変更することで変倍画像４００は変更される。画像表示部１１には印刷範囲２２０も表示され、変倍範囲２１０と印刷範囲２２０とは移動させることができる。【選択図】図１０
2008252553.tif 000002
【特許請求の範囲】
【請求項１】
画像を表示する画像表示部と、
その画像表示部に隣接して配置された変倍画像表示部と、
前記画像表示部に表示された画像のうちで前記変倍画像表示部に表示すべき変倍範囲を指定するための変倍範囲指定手段と、
その変倍範囲指定手段により指定された変倍範囲を前記変倍画像表示部に表示すべき変倍率を指定するための変倍率指定手段と、
前記変倍範囲指定手段により指定された変倍範囲を、前記変倍率指定手段により指定された変倍率で変倍して前記変倍画像表示部に表示する変倍表示制御手段と、
前記画像表示部に表示された画像を前記変倍率指定手段により指定された変倍率で変倍して印刷媒体に印刷する印刷手段と
を備えたことを特徴とする画像処理装置。
【請求項２】
前記変倍率指定手段により指定された変倍率は、前記画像表示部に表示された画像が前記変倍画像表示部に拡大して表示される値であり、
前記変倍範囲指定手段により指定された変倍範囲は、前記変倍表示制御手段が表示する画像の外周が前記変倍画像表示部の外周に内接するような形状に設定されることを特徴とする請求項１に記載の画像処理装置。
【請求項３】
画像を表示する画像表示部と、
その画像表示部に隣接して配置された変倍画像表示部と、
前記画像表示部に表示された画像のうちで前記変倍画像表示部に表示すべき変倍範囲を指定するための変倍範囲指定手段と、
その変倍範囲指定手段により指定された変倍範囲を前記変倍画像表示部に表示すべき変倍率を指定するための変倍率指定手段と、
前記変倍範囲指定手段により指定された変倍範囲を、前記変倍率指定手段により指定された変倍率で変倍して前記変倍画像表示部に表示する変倍表示制御手段と
を備え、
前記変倍率指定手段により指定された変倍率は、前記画像表示部に表示された画像が前記変倍画像表示部に拡大して表示される値であり、
前記変倍範囲指定手段により指定された変倍範囲は、前記変倍表示制御手段が表示する画像の外周が前記変倍画像表示部の外周に内接するような形状に設定されることを特徴とする画像処理装置。
【請求項４】
前記変倍範囲の外周線を前記画像表示部に表示する外周線表示手段を備えたことを特徴とする請求項１乃至３のいずれか１項に記載の画像処理装置。
【請求項５】
前記変倍範囲の外周線を前記画像表示部に表示する外周線表示手段と、
前記印刷手段による印刷範囲を、前記外周線表示手段により表示された外周線と識別可能に前記画像表示部に表示する印刷範囲表示手段と
を備えたことを特徴とする請求項１または２に記載の画像処理装置。
【発明の詳細な説明】
【技術分野】
【０００１】
本発明は、画像処理装置に関する。
【背景技術】
【０００２】
所定の印刷媒体に画像を印刷する場合に、使用者にとってしばしば不便を感じる点は、所定の印刷媒体に適する大きさに画像を変倍、つまり拡大あるいは縮小させたいが、その結果が印刷させてみないとわからない点である。それにより使用者は試しずりを何度か行わなければならず、紙を無駄使いしてしまうこととなる。しかし試しずりをもし行わなければ、拡大しすぎて文字部分にジャギが発生したり画像の輪郭や線の部分に段差が発生してしまう場合がある。また縮小しすぎると文字等がつぶれてしまって読めない場合がある。
【０００３】
こうした問題の回避のための提案が過去になされている。例えば特許文献１では、文字が実際に印刷された際の印字イメージを実寸サイズで表示する技術が開示されている。
【０００４】
【特許文献１】特開平７−２５３９７４号公報
【発明の開示】
【発明が解決しようとする課題】
【０００５】
しかし、特許文献１に開示された技術では文字データによる文書しか対象としておらず、幅広い画像データは対象としていない。さらに特許文献１において主要な関心が向けられている問題は、文書の行間隔や文字間の間隔に対してのみである。
【０００６】
一般の利用者にとって、文字データからなる文書のみではなく画像データ等も対象として、画像の拡大時や縮小時における実際の印字イメージを印刷前に知ることができる装置は大きな有用性を持つ。さらに、その印字イメージと全体の画像がともに確認でき、全体のレイアウトのなかで印字イメージが見たい部分を任意に指定でき、変倍率も任意に指定する機能を合わせもつ装置はさらに利便性が高い。
【０００７】
本発明の目的は、上記問題点に鑑み、画像の印刷後の印字イメージと全体の画像がともに確認でき、全体のレイアウトのなかで印字イメージが見たい部分を任意に指定でき、変倍率も任意に指定する機能を合わせもつ画像処理装置を提供することである。
【課題を解決するための手段及び発明の効果】
【０００８】
上記目的を達成するために、本発明の請求項１に記載の画像処理装置は、画像を表示する画像表示部と、その画像表示部に隣接して配置された変倍画像表示部と、前記画像表示部に表示された画像のうちで前記変倍画像表示部に表示すべき変倍範囲を指定するための変倍範囲指定手段と、その変倍範囲指定手段により指定された変倍範囲を前記変倍画像表示部に表示すべき変倍率を指定するための変倍率指定手段と、前記変倍範囲指定手段により指定された変倍範囲を、前記変倍率指定手段により指定された変倍率で変倍して前記変倍画像表示部に表示する変倍表示制御手段と、前記画像表示部に表示された画像を前記変倍率指定手段により指定された変倍率で変倍して印刷媒体に印刷する印刷手段とを備えたことを特徴とする。
【０００９】
請求項１に記載の画像処理装置によれば、変倍率指定手段によって変倍範囲を変倍画像表示部に表示する変倍率を指定し、変倍表示制御手段が変倍範囲を、変倍率指定手段により指定された変倍率で変倍して変倍画像表示部に表示し、印刷手段が画像表示部に表示された画像を変倍率指定手段により指定された変倍率で変倍して変倍画像表示部に表示された画像と同一の大きさで印刷媒体に印刷するので、装置の使用者は、印刷媒体に印刷される画像の詳細部を変倍画像表示部によって容易に把握でき、拡大の場合は文字部分のジャギや輪郭の不具合、縮小の場合は文字のつぶれ等を迅速に見つけることができる。したがって、これらの利点により、装置の使用者は迅速に適切な変倍率を設定することができる。
【００１０】
請求項２に記載の画像処理装置は、請求項１に記載の画像処理装置を前提として、前記変倍率指定手段により指定された変倍率は、前記画像表示部に表示された画像が前記変倍画像表示部に拡大して表示される値であり、前記変倍範囲指定手段により指定された変倍範囲は、前記変倍表示制御手段が表示する画像の外周が前記変倍画像表示部の外周に内接するような形状に設定されることを特徴とする。
【００１１】
請求項２に記載の画像処理装置によれば、変倍率は、画像表示部に表示された画像が変倍画像表示部に拡大して表示される値であり、変倍範囲指定手段により指定された変倍範囲は、変倍表示制御手段が表示する画像の外周が変倍画像表示部の外周に内接するような形状に設定されるので、装置の使用者は、変倍画像表示部に表示される画像の大きさを気にすることなく、印刷媒体に印刷される画像の詳細部を変倍画像表示部によって容易に把握でき、文字部分のジャギの発生や画像の輪郭の不具合等を迅速に見つけることができる。
【００１２】
請求項３に記載の画像処理装置は、画像を表示する画像表示部と、その画像表示部に隣接して配置された変倍画像表示部と、前記画像表示部に表示された画像のうちで前記変倍画像表示部に表示すべき変倍範囲を指定するための変倍範囲指定手段と、その変倍範囲指定手段により指定された変倍範囲を前記変倍画像表示部に表示すべき変倍率を指定するための変倍率指定手段と、前記変倍範囲指定手段により指定された変倍範囲を、前記変倍率指定手段により指定された変倍率で変倍して前記変倍画像表示部に表示する変倍表示制御手段とを備え、前記変倍率指定手段により指定された変倍率は、前記画像表示部に表示された画像が前記変倍画像表示部に拡大して表示される値であり、前記変倍範囲指定手段により指定された変倍範囲は、前記変倍表示制御手段が表示する画像の外周が前記変倍画像表示部の外周に内接するような形状に設定されることを特徴とする。
【００１３】
請求項３に記載の画像処理装置によれば、変倍率指定手段によって変倍範囲を変倍画像表示部に表示する変倍率を指定し、変倍表示制御手段が変倍範囲を、変倍率指定手段により指定された変倍率で変倍して変倍画像表示部に表示し、変倍率は、画像表示部に表示された画像が変倍画像表示部に拡大して表示される値であり、変倍範囲指定手段により指定された変倍範囲は、変倍表示制御手段が表示する画像の外周が変倍画像表示部の外周に内接するような形状に設定されるので、装置の使用者は、変倍画像表示部に表示される画像の大きさを気にすることなく、画像の詳細部を変倍画像表示部によって容易に把握でき、文字部分のジャギの発生や画像の輪郭の不具合等を迅速に見つけることができる。
【００１４】
請求項４に記載の画像処理装置は、請求項１乃至３のいずれか１項に記載の画像処理装置を前提として、前記変倍範囲の外周線を前記画像表示部に表示する外周線表示手段を備えたことを特徴とする。
【００１５】
請求項４に記載の画像処理装置によれば、外周線表示手段が変倍範囲の外周線を画像表示部に表示するので、装置の使用者は、変倍範囲と変倍画像表示部に表示される画像との対比がさらに容易となり、文字部分のジャギの発生、画像の輪郭の不具合、文字のつぶれ等をさらに迅速に見つけることができる。
【００１６】
請求項５に記載の画像処理装置は、請求項１または２に記載の画像処理装置を前提として、前記変倍範囲の外周線を前記画像表示部に表示する外周線表示手段と、前記印刷手段による印刷範囲を、前記外周線表示手段により表示された外周線と識別可能に前記画像表示部に表示する印刷範囲表示手段とを備えたことを特徴とする。
【００１７】
請求項５に記載の画像処理装置によれば、印刷範囲表示手段が印刷手段による印刷範囲を、外周線表示手段により表示された外周線と識別可能に画像表示部に表示するので、装置の使用者は、印刷範囲と変倍範囲と変倍画像表示部に表示される画像との対比がさらに容易になり、印刷範囲も含めて文字部分のジャギの発生、画像の輪郭の不具合、文字のつぶれ等を迅速に見つけることができる。
【発明を実施するための最良の形態】
【００１８】
以下ではまず本発明の実施例１を、添付図面を参照しながら説明する。
【００１９】
まず図１には、本発明の画像処理装置として例示する複合機１０の斜視図が示されている。この複合機１０には、印刷部１３、給紙部１６、スキャナ部１５、外部記憶メディア用スロット２０が備えられている。給紙部１６に載置された印刷媒体は、複合機１０の内部の印刷部１３に送られて印刷が行われる。またスキャナ部１５によって、画像データを複合機１０内に取り込むことが可能である。また外部記憶メディア用スロット２０には外部記憶メディア４０が装着可能であり、外部記憶メディア４０内に記憶された画像データを印刷部１３により印刷すること等ができる。また複合機１０には、入力部として十字キー３０、終了キー３１、確定キー３２が備えられており、これらを用いて使用者は各種入力を複合機１０に対して行うことができる。また複合機１０にはＬＣＤ１１，１２が備えられ、各種表示が行われる。
【００２０】
次に図２には複合機１０の主要内部構成図が示されている。複合機１０には、複合機１０全体を制御する制御部１００が装備されている。そして制御部１００には各種指令を行うＣＰＵ１０１、その作業領域等としてのＲＡＭ１０３，記憶部としてのＲＯＭ１０２，ＥＥＰＲＯＭ１０４が備えられている。これらはバス１０７に接続されて、相互のデータ転送が行われる。またバス１０７には複合機１０の各部との情報のやり取りに係わるＡＳＩＣ１３０が接続されている。ＡＳＩＣ１３０には印刷部に関係するヘッド制御基板３３、印字ヘッド８、キャリッジ３８、駆動回路８２、さらにスキャナ部１５、ＬＣＤ１１，１２、入力部３０、３１、３２、外部記憶メディア制御部２０（外部記憶メディア用スロット）、ＦＡＸ部３０が接続されている。
【００２１】
以下で説明する実施例においては、画像表示部に表示された画像の一部を変倍して変倍画像表示部に表示する。図１に示されたＬＣＤ１１，１２のどちらが画像表示部で、どちらが変倍画像表示部でもよいが、以下ではＬＣＤ１１が画像表示部（以下、画像表示部１１と記す）、ＬＣＤ１２が変倍画像表示部（以下、変倍画像表示部１２と記す）である場合が説明される。画像表示部１１に表示される画像は、スキャナ部１５で取り込んだ画像でもよいし、外部記憶メディア用スロット２０に装着された外部記憶メディア４０内の画像でもよい。
【００２２】
以下では、使用者による入力のために、第１の入力部として例えば十字キー３０を、第２の入力部として例えば終了キー３１を、第３の入力部として例えば確定キー３２を用いる場合が例示される。第１の入力部は十字キー３０ではなく、十字キーの上下左右の４つの部分の機能をそれぞれ別の４つの入力部に分担させる形態でもよい。
【００２３】
以下に示す本発明の実施例においては、変倍率が１００％より大きい場合は拡大を、１００％の場合は等倍を、１００％より小さい場合は縮小を表す。変倍率は、画像表示部１１に対する変倍率である。
【００２４】
まず本発明の実施例１の全体のフローチャートは図３に示されている。実施例１における変倍印刷処理ではＳ１００で変倍画像ファイルが作成され、それに続いてＳ２００で、Ｓ１００で作成された変倍画像ファイルが印刷される。
【００２５】
次に図４には、図３のＳ１００変倍画像ファイル作成のフローチャートが示されている。図４のフローチャートでは、上半分が変倍率変更操作の部分に対応し、下半分が変倍範囲移動操作の部分に対応する。そして、確定キー３２を１回押す毎に変倍率変更操作と変倍範囲移動操作との間でモード変更が行われる。そして以下では変倍率を変更することも、変倍範囲を移動させることも十字キー３０によって行うこととしている。そして終了キー３１を押すことにより、変倍率変更、変倍範囲移動をともに終了して変倍画像ファイルが作成される。複合機１０のＣＰＵ１０１によって、図４に示された処理が、以下のとおり行われる。
【００２６】
図４のフローチャートにおいてはまず、ＣＰＵ１０１はＳ１０１で画像表示部１１及び変倍画像表示部１２に初期表示を行わせる。この手順では、画像表示部１１には画像全体が表示される。また変倍画像表示部１２には、例えば画像表示部１１に表示された画像の中央部が変倍範囲とされ、変倍率を２００％として表示される。（以下、変倍画像表示部１２に表示された画像を変倍画像という。）
【００２７】
次にＳ１１０では十字キー３０が押されているかどうかが判断される。十字キー３０が押されている場合（Ｓ１１０：Ｙｅｓ）、次の手順はＳ１１３となる。十字キー３０が押されていない場合（Ｓ１１０：Ｎｏ）は、次の手順はＳ１１１となる。
【００２８】
Ｓ１１１では終了キー３１が押されているかどうかが判断される。終了キー３１が押されている場合（Ｓ１１１：Ｙｅｓ）は、次の手順はＳ１４０となる。終了キー３１が押されていない場合（Ｓ１１１：Ｎｏ）、次の手順はＳ１１２となる。Ｓ１１２では確定キー３２が押されているかどうかが判断される。確定キー３２が押されている場合（Ｓ１１２：Ｙｅｓ）は、処理手順はＳ１２０へ進む。確定キー３２が押されていない場合（Ｓ１１２：Ｎｏ）、処理手順は再びＳ１１０へ戻る。
【００２９】
Ｓ１１３では変倍率変更の操作が行われる。これは例えば十字キー３０の右部分を押すと、変倍率が所定の数値、例えば１％づつ下がり、十字キー３０の左部分を押すと変倍率が所定の数値、例えば１％づつ上がる等と設定して行えばよい。Ｓ１１３の次の手順はＳ１１４である。Ｓ１１４では、Ｓ１１３で変更された変倍率に基づいて変倍画像が変更される。Ｓ１１４が終了したら、処理手順はＳ１１１へ進む。そしてＳ１１０，Ｓ１１１，Ｓ１１２を繰り返して入力待ち状態となり、Ｓ１１０で十字キー３０が押される毎に変倍率が変更される。
【００３０】
上述のとおり、Ｓ１１２で確定キー３１が押されることにより（Ｓ１１２：Ｙｅｓ）、処理手順はＳ１２０へ進む。Ｓ１２０以降は変倍範囲移動モードである。Ｓ１２０では十字キー３０が押されているかどうかが判断される。十字キー３０が押されている場合（Ｓ１２０：Ｙｅｓ）は、次の手順はＳ１２３となる。十字キー３０が押されていない場合（Ｓ１２０：Ｎｏ）、処理手順はＳ１２１へ進む。
【００３１】
次にＳ１２１では終了キー３１が押されているかどうかが判断される。終了キー３１が押されている場合（Ｓ１２１：Ｙｅｓ）、次の手順はＳ１４０となる。終了キー３１が押されていない場合（Ｓ１２１：Ｎｏ）は、次の手順はＳ１２２となる。Ｓ１２２では確定キー３２が押されているかどうかが判断される。Ｓ１２２で確定キー３２が押されている場合（Ｓ１２２：Ｙｅｓ）は、処理手順は再びＳ１１０へ戻る。Ｓ１２２で確定キー３２が押されていない場合（Ｓ１２２：Ｎｏ）は、処理手順は再びＳ１２０へ戻る。
【００３２】
Ｓ１２３では変倍範囲移動の操作が行われる。この操作は、例えば十字キー３０の右部分を押すと、変倍範囲が右へ所定分移動し、十字キー３０の左部分を押すと変倍範囲が左へ所定分移動し、十字キー３０の上部分を押すと変倍範囲が上へ所定分移動し、十字キー３０の下部分を押すと変倍範囲が下へ所定分移動する等と設定しておこなわれることとすればよい。
【００３３】
Ｓ１２３の次の手順はＳ１２４となる。Ｓ１２４では、Ｓ１２３で変更された変倍範囲内の画像へと変倍画像が変更される。Ｓ１２４が終了したら、処理手順はＳ１２１へ進む。そしてＳ１２０，Ｓ１２１，Ｓ１２２を繰り返して入力待ち状態となり、Ｓ１２０で十字キー３０が押される毎に変倍範囲が移動する。
【００３４】
入力待ち状態のなかでＳ１１１あるいはＳ１２１で終了キー３１が押されると、変倍率変更、変倍範囲移動をともに終了して、処理手順はＳ１４０へ進む。Ｓ１４０では以上の操作で設定された変倍率により画像表示部１１に表示された画像全体を変倍して変倍画像ファイルが作成される。この変倍画像ファイルを外部記憶メディア４０に格納するとしてもよい。
【００３５】
次に図７には上で説明されたＳ１００変倍画像ファイル作成の途中における画像表示部１１、変倍画像表示部１２における表示状態が示されている。図７（ａ）では、画像表示部１１に画像２００が表示されている。そして変倍画像表示部１２には変倍画像３５１が表示されている。変倍画像３５１は、ここでは画像表示部１１に表示された画像２００の一部が変倍率２００％で印字された場合の実寸大で表示された画像である。変倍率が２００％であることが、画像表示部１１内の領域２５０に表示されている。例えば図７（ａ）の画像表示部１１及び変倍画像表示部１２の表示は、上で述べたＳ１０１での初期表示である。
【００３６】
次に図４のＳ１１３で変倍率変更の操作が行われて、変倍率が２１０％となった場合が図７（ｂ）に示されている。図７（ｂ）においては、変倍画像表示部１２に表示された変倍画像３５２が、図７（ａ）の変倍画像３５１と比較して拡大していることが確認できる。さらに、図４のＳ１２３で変倍範囲移動の操作が行われた場合が、図７（ｃ）に示されている。図７（ｃ）においては十字キー３０を用いて変倍範囲を右に移動させた場合が例示されており、図７（ｃ）における変倍画像表示部１２の変倍画像３５３が図７（ｂ）の変倍画像３５２と比較して右側に移動していることが確認できる。
【００３７】
次に実施例２を説明する。これは図８に示されている。実施例２においては、実施例１における変倍画像３５１、３５２，３５３の形状とは異なり、変倍画像の外周が変倍画像表示部１２の外周に内接する形状となっている。それ以外は実施例１と同じである。図８（ａ），図８（ｂ）、図８（ｃ）がそれぞれ、図７（ａ），図７（ｂ）、図７（ｃ）に対応する。図８（ａ），図８（ｂ）、図８（ｃ）それぞれに変倍画像４００，４０１，４０２が表示されている。なお、変倍画像表示部１２の形状が図８のような四角形でなく別の形状の場合にも、変倍されて変倍画像表示部１２に表示される変倍画像の外周は変倍画像表示部１２の外周に内接する形状としてもよい。
【００３８】
次に実施例３を説明する。実施例３においては、画像表示部１１上の画像のうちで変倍画像表示部１２に表示されている変倍範囲の外周線が、画像表示部１１上に表示される。実施例３は図５と図９に示されている。
【００３９】
図５には実施例３におけるＳ１００変倍画像ファイル作成のフローチャートが示されている。なお、図３のフローチャートは実施例３でも用いる。図５のフローチャートでは、Ｓ１０２、Ｓ１１５，Ｓ１２５の部分が図４のフローチャートと異なっており、他の部分は図４のフローチャートと同じである。以下では図４と異なっているＳ１０２、Ｓ１１５，Ｓ１２５の部分のみが説明される。
【００４０】
図５のフローチャートではＳ１０１の次にＳ１０２変倍範囲表示初期表示の手順が加わっている。このＳ１０２変倍範囲表示初期表示によって、Ｓ１０１で画像表示部１１に表示された画像上に、変倍画像表示部１２に表示されている範囲の外周線が表示される。また図５のフローチャートでは、Ｓ１１４変倍画像変更の手順の次にＳ１１５変倍範囲表示変更の手順が加わっている。Ｓ１１３変倍率変更の手順で変倍率が変更されたことに伴ない変倍範囲も変更されるので、Ｓ１１５変倍範囲表示変更によって、画像表示部１１における変倍範囲の外周線表示の位置が変更される。
【００４１】
さらに図５のフローチャートでは、Ｓ１２４変倍画像変更の手順の次にＳ１２５変倍範囲表示変更の手順が加わっている。Ｓ１２３変倍範囲移動の手順で変倍範囲が移動されたので、Ｓ１２５変倍範囲表示変更によって、画像表示部１１における変倍範囲の外周線表示の位置が変更される。
【００４２】
次に図９には、上で説明された実施例３におけるＳ１００変倍画像ファイル作成の途中における画像表示部１１、変倍画像表示部１２における表示状態が示されている。まず図９（ａ）では、画像表示部１１に画像２００が表示されており、変倍画像表示部１２には、ここでは画像表示部１１に表示された画像２００の一部が変倍率２００％で印字された場合の実寸大で変倍画像４００として表示されている。変倍率が画像表示部１１内の領域２５０に表示されている。
【００４３】
図９（ａ）の図８と異なる点は画像表示部１１の画像上に変倍範囲２１０の外周線が表示されていることである。変倍範囲２１０内の画像が、変倍画像表示部１２に変倍画像４００として表示されていることが確認できる。次に図５のＳ１１３で変倍率変更の操作が行われて、変倍率が２１０％となった場合が図９（ｂ）に示されている。図９（ｂ）においては、変倍画像表示部１２の変倍画像４０１が図９（ａ）の変倍画像４００と比較して拡大していることが確認できる。それに伴ない，図９（ｂ）の画像表示部１１における変倍範囲２１１は、図９（ａ）の変倍範囲２１０よりも小さくなっている。
【００４４】
さらに、図５のＳ１２３で変倍範囲移動の操作が行われた場合が、図９（ｃ）に示されている。図９（ｃ）においては十字キー３０を用いて変倍範囲を右に移動させた場合が例示されており、変倍画像表示部１２の変倍画像４０２が図９（ｂ）の変倍画像４０１と比較して右側に移動していることが確認できる。これに対応して、図９（ｃ）の画像表示部１１における変倍範囲２１２は、図９（ｂ）の変倍範囲２１１よりも右に移動している。
【００４５】
次に実施例４を説明する。実施例４においては、実施例３にさらに印刷範囲表示が加わる。これは、画像表示部１１に表示された画像上に印刷する範囲の外周線を表示することである。実施例４は図６及び図１０に示されている。
【００４６】
図６には実施例４におけるＳ１００変倍画像ファイル作成のフローチャートが示されている。なお、図３のフローチャートは実施例４でも用いる。さて図６のフローチャートでは、Ｓ１３０以降の部分とＳ１０３とＳ１１６とが図５のフローチャートと異なっており、他の部分は図５のフローチャートと同じである。以下では図６のフローチャートで図５と異なる部分のみを説明する。
【００４７】
まず図６のＳ１０３においては、画像表示部１１に表示された画像上に印刷範囲が初期表示される。この手順においては例えば、所定の印刷媒体の大きさを示す範囲が任意の位置、例えば画像表示部１１の画像の中央部分に表示されるとしてもよい。そして図６のＳ１１６では、Ｓ１１３で変倍率が変更されたことに伴なって、画像表示部１１の画像上での印刷範囲の大きさを変える処理が行われる。次にＳ１３０以降の部分を説明する。
【００４８】
Ｓ１２２で確定キー３２が押された場合（Ｓ１２２：Ｙｅｓ）、次の処理手順はＳ１３０となる。Ｓ１３０では十字キー３０が押されているかどうかが判断される。十字キー３０が押されている場合（Ｓ１３０：Ｙｅｓ）は、処理手順はＳ１３３へ進む。十字キー３０が押されていない場合（Ｓ１３０：Ｎｏ）は、次の手順はＳ１３１となる。
【００４９】
次にＳ１３１では終了キー３１が押されているかどうかが判断される。終了キー３１が押されている場合（Ｓ１３１：Ｙｅｓ）は、次の手順はＳ１４０となる。終了キー３１が押されていない場合（Ｓ１３１：Ｎｏ）、処理手順はＳ１３２へ進む。Ｓ１３２では確定キー３２が押されているかどうかが判断される。確定キー３２が押されている場合（Ｓ１３２：Ｙｅｓ）は、処理手順は再びＳ１１０へ戻る。確定キー３２が押されていない場合（Ｓ１３２：Ｎｏ）は、処理手順は再びＳ１３０へ戻る。
【００５０】
Ｓ１３３では印刷範囲移動の操作が行われる。この操作は例えば、十字キー３０の右部分を押すと、印刷範囲が右へ所定分移動し、十字キー３０の左部分を押すと印刷範囲が左へ所定分移動し、十字キー３０の上部分を押すと印刷範囲が上へ所定分移動し、十字キー３０の下部分を押すと印刷範囲が下へ所定分移動する等と設定して行われるとすればよい。
【００５１】
Ｓ１３３の次の手順はＳ１３４である。Ｓ１３４では、Ｓ１３３で印刷範囲が変更されたことに基づいて、画像表示部１１における印刷範囲の表示位置が変更される。Ｓ１３４が終了したら、処理手順はＳ１３１へ進む。そしてＳ１３０，Ｓ１３１，Ｓ１３２を繰り返して入力待ち状態となり、Ｓ１３０で十字キー３０が押される毎に印刷範囲が移動される。
【００５２】
またＳ１３０，Ｓ１３１，Ｓ１３２を繰り返えす入力待ち状態のなかでＳ１３１で終了キー３１が押されると（Ｓ１３１：Ｙｅｓ）、変倍率変更、変倍範囲移動、印刷範囲移動を全て終了して、処理手順はＳ１４０へ進む。Ｓ１４０では以上の操作で設定された変倍率により画像表示部１１に表示された印刷範囲内の画像を変倍して変倍画像ファイルが作成される。この変倍画像ファイルは外部記憶メディア４０に格納されるとしてもよい。以上が図６のフローチャートの図５と異なる部分である。
【００５３】
次に図１０には上で説明された実施例４におけるＳ１００変倍画像ファイル作成の途中における画像表示部１１、変倍画像表示部１２における表示状態が示されている。まず図１０（ａ）には、画像表示部１１に画像２００が表示されており、変倍画像表示部１２には、画像表示部１１に表示された画像２００内の変倍範囲２１０内の画像が、ここでは変倍率２００％で印字された場合の実寸大で変倍画像４００として表示されている。変倍率が画像表示部１１内の領域２５０に表示されている。
【００５４】
図１０（ａ）において図９と異なる点は画像表示部１１の画像２００上に印刷範囲２２０の外周線が表示されていることである。次に図６のＳ１１３で変倍率変更の操作が行われて、変倍率が２１０％となった場合が図１０（ｂ）に示されている。図１０（ｂ）においては、変倍画像表示部１２の変倍画像４０１が図１０（ａ）の変倍画像４００と比較して拡大していることが確認できる。それに伴ない，図１０（ｂ）の画像表示部１１における印刷範囲２２１は、図１０（ａ）の印刷範囲２２０よりも小さくなっている。
【００５５】
さらに、図６のＳ１２３で変倍範囲移動の操作が行われた場合が、図１０（ｃ）に示されている。図１０（ｃ）においては十字キー３０を用いて変倍範囲を右に移動させた場合が例示されており、変倍画像表示部１２の変倍画像４０２が図１０（ｂ）の変倍画像４０１と比較して右側に移動していることが確認できる。なおＳ１２３で変倍範囲移動の操作が行われた場合、印刷範囲は移動されない。図１０においても図１０（ｂ）と図１０（ｃ）の印刷範囲は同じ印刷範囲２２１である。
【００５６】
さらに、図６のＳ１３３で印刷範囲移動の操作が行われた場合が、図１０（ｄ）に示されている。図１０（ｄ）においては十字キー３０を用いて印刷範囲を左へさらに上へ移動させた場合が例示されており、図１０（ｄ）における変倍画像表示部１２の印刷範囲２２２が、図１０（ｃ）の印刷範囲２２１と比較して左上側に移動していることが確認できる。なお上で変倍範囲２１０，２１１，２１２と印刷範囲２２０，２２１，２２２とは異なる色で表示すればよい。
【００５７】
なおＳ１０１画像表示部・変倍画像表示部初期表示の手順，Ｓ１１４変倍画像変更，Ｓ１２４変倍画像変更の手順が変倍表示制御手段として機能する。Ｓ１０２変倍範囲表示初期表示、Ｓ１１５変倍範囲表示変更，Ｓ１２５変倍範囲表示変更の手順が外周線表示手段として機能する。
【００５８】
Ｓ１０３印刷範囲表示初期表示、Ｓ１１６印刷範囲表示変更，Ｓ１３４印刷範囲表示変更の手順が印刷範囲表示手段として機能する。またＬＣＤ１１が画像表示部、ＬＣＤ１２が変倍画像表示部として機能する。
【００５９】
さらに十字キー３０が変倍範囲指定手段、変倍率指定手段として機能する。また印字ヘッド８が印刷手段として機能する。なお本発明の実施は上で説明した複合機１０に限定はされず、例えばパーソナルコンピュータ上でおこなってもよい。そして例えば変倍範囲の指定はマウスにより行ってもよい。また変倍率の指定は数字をキー入力する形態でもよい。また上では変倍率を領域２５０に表示したが、変倍率でなく印刷範囲２２０，２２１，２２２に対応する印刷用紙（印刷媒体）のサイズを表示することでもよい。また変倍率は、画像表示部１１に表示された画像サイズに対する変倍率ではなく、その画像が印刷されたときの実寸大のサイズに対する変倍率としてもよい。
【図面の簡単な説明】
【００６０】
【図１】本発明の実施例としての複合機の斜視図。
【図２】複合機の主要内部構成を示すブロック図。
【図３】変倍印刷処理のフローチャート。
【図４】実施例１における変倍画像ファイル作成のフローチャート。
【図５】実施例３における変倍画像ファイル作成のフローチャート。
【図６】実施例４における変倍画像ファイル作成のフローチャート。
【図７】実施例１における画像表示部と変倍画像表示部を示す図。
【図８】実施例２における画像表示部と変倍画像表示部を示す図。
【図９】実施例３における画像表示部と変倍画像表示部を示す図。
【図１０】実施例４における画像表示部と変倍画像表示部を示す図。
【符号の説明】
【００６１】
１０    複合機
１１    ＬＣＤ
１２    ＬＣＤ
３０    十字キー
３１    終了キー
３２    確定キー
１０１    ＣＰＵ
２００    画像
２１０，２１１，２１２    変倍範囲
２２０，２２１，２２２    印刷範囲
３５１，３５２，３５３、４００，４０１，４０２    変倍画像
【図１】
2008252553.tif 000003
【図２】
2008252553.tif 000004
【図３】
2008252553.tif 000005
【図４】
2008252553.tif 000006
【図５】
2008252553.tif 000007
【図６】
2008252553.tif 000008
【図７】
2008252553.tif 000009
【図８】
2008252553.tif 000010
【図９】
2008252553.tif 000011
【図１０】
2008252553.tif 000012